【手続補正書】
【提出日】平成19年2月1日(2007.2.1)
【手続補正１】
【補正対象書類名】明細書
【補正対象項目名】請求項１
【補正方法】変更
【補正の内容】
【請求項１】  通信媒体を介して情報処理装置から受信する特定のジョブに対して予め定められた画像処理を実行可能な画像処理装置であって、
前記ジョブの実行に伴い使用され得る資源を識別する使用資源識別手段と、
前記ジョブの実行に伴い使用された資源の使用状況を集計する第１の集計カウンタ手段と、
前記使用資源識別手段により識別可能な資源数よりも少ない数の資源に対応する特定の資源の使用状況を集計する第２の集計カウンタ手段と、
前記特定の資源に該当しないその他の資源の使用状況を集計する第３の集計カウンタ手段と、
前記第１から第３の集計カウンタ手段により集計されたカウント情報を記憶する記憶手段と、
を有することを特徴とする画像処理装置。
【手続補正２】
【補正対象書類名】明細書
【補正対象項目名】請求項１４
【補正方法】変更
【補正の内容】
【請求項１４】  通信媒体を介して予め定められた画像処理を行う画像処理装置に対して特定のジョブ処理を要求する情報処理装置であって、
前記画像処理装置に対して識別可能な資源情報の取得要求を行う要求手段と、
前記要求手段による取得要求に応じて前記画像処理装置から転送される資源情報に基づいて、収集対象とすべき資源情報を前記情報処理装置に対して指定する指定手段と、
前記指定手段により指定された資源情報を前記画像処理装置により収集する収集手段と、を有することを特徴とする情報処理装置。
【手続補正３】
【補正対象書類名】明細書
【補正対象項目名】請求項２３
【補正方法】変更
【補正の内容】
【請求項２３】  通信媒体を介して情報処理装置から受信する特定のジョブに対して予め定められた画像処理を実行可能な画像処理装置における資源情報管理方法であって、
前記ジョブの実行に伴い使用され得る資源を識別する使用資源識別ステップと、
前記ジョブの実行に伴い使用された資源の使用状況を集計する第１の集計カウンタステップと、前記使用資源識別ステップにより識別可能な資源数よりも少ない数の資源に対応する特定の資源の使用状況を集計する第２の集計カウンタステップと、
前記特定の資源に該当しないその他の資源の使用状況を集計する第３の集計カウンタステップと、
前記第１から第３の集計カウンタステップにより集計されたカウント情報を記憶手段に登録する登録ステップと、
を有することを特徴とする資源情報管理方法。
【手続補正４】
【補正対象書類名】明細書
【補正対象項目名】請求項２４
【補正方法】変更
【補正の内容】
【請求項２４】  通信媒体を介して予め定められた画像処理を行う画像処理装置に対して特定のジョブ処理を要求する情報処理装置における資源情報管理方法であって、
前記画像処理装置に対して識別可能な資源情報の取得要求を行う要求ステップと、
前記要求ステップによる取得要求に応じて前記画像処理装置から転送される資源情報に基づいて、収集対象とすべき資源情報を前記情報処理装置に対して指定する指定ステップと、
前記指定ステップにより指定された資源情報を前記画像処理装置により収集する収集ステップと、
を有することを特徴とする資源情報管理方法。
【手続補正５】
【補正対象書類名】明細書
【補正対象項目名】０００１
【補正方法】変更
【補正の内容】
【０００１】
【発明の属する技術分野】
本発明は、資源のカウント技術に関する。
【手続補正６】
【補正対象書類名】明細書
【補正対象項目名】０００６
【補正方法】変更
【補正の内容】
【０００６】
本発明は、柔軟に資源カウントを行える仕組を目的とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
【課題を解決するための手段】
本発明に係る第１の発明は、通信媒体を介して情報処理装置から受信する特定のジョブに対して予め定められた画像処理を実行可能な画像処理装置であって、前記ジョブの実行に伴い使用され得る資源を識別する使用資源識別手段（図２に示すスキャナエンジン２０８、プリンタエンジン２０９により検出され識別する）と、前記ジョブの実行に伴い使用された資源の使用状況を集計する第１の集計カウンタ手段（図１０に示すステップｃ０１）と、前記使用資源識別手段により識別可能な資源数よりも少ない数の資源に対応する特定の資源の使用状況を集計する第２の集計カウンタ手段（図１０に示すステップｃ０２〜ステップｃ０７）と、前記特定の資源に該当しないその他の資源の使用状況を集計する第３の集計カウンタ手段（図１０に示すステップｃ０８）と、前記第１から第３の集計カウンタ手段により集計されたカウント情報を記憶する記憶手段（図２に示すＲＡＭ２０２，ＤＩＳＫ２０６に相当）とを有することを特徴とする。
【手続補正９】
【補正対象書類名】明細書
【補正対象項目名】００２１
【補正方法】変更
【補正の内容】
【００２１】
本発明に係る第１４の発明は、通信媒体を介して予め定められた画像処理を行う画像処理装置に対して特定のジョブ処理を要求する情報処理装置であって、前記画像処理装置に対して識別可能な資源情報の取得要求を行う要求手段（図１２に示すステップ９０１）と、前記要求手段による取得要求に応じて前記画像処理装置から転送される資源情報に基づいて、収集対象とすべき資源情報を前記情報処理装置に対して指定する指定手段（図１２に示すステップ（９０２）、（９０３））と、前記指定手段により指定された資源情報を前記画像処理装置により収集する収集手段（図１５に示すステップ（１２０１）〜（１２１７））とを有することを特徴とする。
【手続補正１０】
【補正対象書類名】明細書
【補正対象項目名】００３０
【補正方法】変更
【補正の内容】
【００３０】
本発明に係る第２３の発明は、通信媒体を介して情報処理装置から受信する特定のジョブに対して予め定められた画像処理を実行可能な画像処理装置における資源情報管理方法であって、前記ジョブの実行に伴い使用され得る資源を識別する使用資源識別ステップ（図示しない）と、前記ジョブの実行に伴い使用された資源の使用状況を集計する第１の集計カウンタステップ（図１０に示すステップｃ０１）と、前記使用資源識別ステップにより識別可能な資源数よりも少ない数の資源に対応する特定の資源の使用状況を集計する第２の集計カウンタステップ（図１０に示すステップｃ０２〜ｃ０７）と、前記特定の資源に該当しないその他の資源の使用状況を集計する第３の集計カウンタステップ（図１０に示すステップｃ０８）と、前記第１から第３の集計カウンタステップにより集計されたカウント情報を記憶手段に登録する登録ステップ（図示しない）とを有することを特徴とする。
【手続補正１１】
【補正対象書類名】明細書
【補正対象項目名】００３１
【補正方法】変更
【補正の内容】
【００３１】
本発明に係る第２４の発明は、通信媒体を介して予め定められた画像処理を行う画像処理装置に対して特定のジョブ処理を要求する情報処理装置における資源情報管理方法であって、前記画像処理装置に対して識別可能な資源情報の取得要求を行う要求ステップ（図１２のステップ（９０１））と、前記要求ステップによる取得要求に応じて前記画像処理装置から転送される資源情報に基づいて、収集対象とすべき資源情報を前記情報処理装置に対して指定する指定ステップ（図１２のステップ（９０２）、（９０３））と、前記指定ステップにより指定された資源情報を前記画像処理装置により収集する収集ステップ（図１６に示すステップ（１２０１）〜（１２１７））とを有することを特徴とする。
【手続補正１２】
【補正対象書類名】明細書
【補正対象項目名】０１８７
【補正方法】変更
【補正の内容】
【０１８７】
以上説明したように、本発明によれば柔軟に資源カウントを行える。
【手続補正１３】
【補正対象書類名】明細書
【補正対象項目名】０１８８
【補正方法】削除
【補正の内容】
【手続補正１４】
【補正対象書類名】明細書
【補正対象項目名】０１８９
【補正方法】削除
【補正の内容】